(57)【特許請求の範囲】
【請求項１】
真空状態のケーシングＣ内で所定寸法の金属線材５を順次蒸発させる蒸発部１と、真空状態の該ケーシングＣ内において線材状の素材６を所定寸法に切断して金属線材５を形成しながら該蒸発部１に該金属線材５を順次供給する供給部２と、を備え、
上記蒸発部１が、金属線材５が供給される通電自在な上方開口状の舟型の蒸発ボード盤12をロータ10上に複数個平面視星型状としてかつ鉛直の一軸心Ｌ廻りに間欠的に回転自在に設け、
そして、舟型の上記蒸発ボード盤12が、上記ロータ10の上記一軸心Ｌ廻りの上記間欠的な回転にて、上記供給部２に対応する供給位置Ｓから、上記金属線材５を通電により蒸発させる蒸発位置Ｈに送られるように構成されたことを特徴とする金属蒸着装置。
【請求項２】
真空状態のケーシングＣ内で所定寸法の金属線材５を順次蒸発させる蒸発部１と、真空状態の該ケーシングＣ内において線材状の素材６を所定寸法に切断して金属線材５を形成しながら該蒸発部１に該金属線材５を順次供給する供給部２と、を備え、
上記蒸発部１が、金属線材５が供給される通電自在な上方開口状の舟型の蒸発ボード盤12をロータ10上に複数個平面視星型状としてかつ鉛直の一軸心Ｌ廻りに間欠的に回転自在に設けると共に、隣り合う上記蒸発ボード12，12間に、被蒸着体Ｍが内部におかれるフード部３へ金属線材５の蒸気を導入する仕切壁９を設け、
そして、舟型の上記蒸発ボード盤12が、上記ロータ10の上記一軸心Ｌ廻りの上記間欠的な回転にて、上記供給部２に対応する供給位置Ｓから、上記金属線材５を通電により蒸発させる蒸発位置Ｈに送られるように構成されたことを特徴とする金属蒸着装置。
【発明の詳細な説明】
【０００１】
【発明の属する技術分野】
本発明は、金属蒸着装置に関する。
【０００２】
【従来の技術】
従来の金属蒸着装置は、真空状態のケーシング内で金属線材を蒸発させる蒸発部と、ケーシングの外部に配置されて該蒸発部に金属線材を供給する供給部と、を備えていた。
【０００３】
【発明が解決しようとする課題】
しかしながら、従来の金属蒸着装置では、供給部にてケーシングの外部から内部へ金属線材を供給していたため、ケーシング内に（１回分の）金属線材を入れる毎にケーシング内の真空引きを行っていた。即ち、（１回の）金属線材の蒸着を行う毎にケーシング内を真空にする必要があり、余分な待ち時間・作業時間がかかっていた。
【０００４】
そこで、本発明は、作業効率を向上させると共に、作業時間を大幅に短縮することができる金属蒸着装置を提供することを目的とする。
【０００５】
【課題を解決するための手段】
上述の目的を達成するために、本発明に係る金属蒸着装置は、真空状態のケーシング内で所定寸法の金属線材を順次蒸発させる蒸発部と、真空状態の該ケーシング内において線材状の素材を所定寸法に切断して金属線材を形成しながら該蒸発部に該金属線材を順次供給する供給部と、を備え、上記蒸発部が、金属線材が供給される通電自在な上方開口状の舟型の蒸発ボード盤をロータ上に複数個平面視星型状としてかつ鉛直の一軸心廻りに間欠的に回転自在に設け、そして、舟型の上記蒸発ボード盤が、上記ロータの上記一軸心廻りの上記間欠的な回転にて、上記供給部に対応する供給位置から、上記金属線材を通電により蒸発させる蒸発位置に送られるように構成されたものである。
【０００６】
また、真空状態のケーシング内で所定寸法の金属線材を順次蒸発させる蒸発部と、真空状態の該ケーシング内において線材状の素材を所定寸法に切断して金属線材を形成しながら該蒸発部に該金属線材を順次供給する供給部と、を備え、上記蒸発部が、金属線材が供給される通電自在な上方開口状の舟型の蒸発ボード盤をロータ上に複数個平面視星型状としてかつ鉛直の一軸心廻りに間欠的に回転自在に設けると共に、隣り合う上記蒸発ボード間に、被蒸着体が内部におかれるフード部へ金属線材の蒸気を導入する仕切壁を設け、そして、舟型の上記蒸発ボード盤が、上記ロータの上記一軸心廻りの上記間欠的な回転にて、上記供給部に対応する供給位置から、上記金属線材を通電により蒸発させる蒸発位置に送られるように構成されたものである。
【０００７】
【発明の実施の形態】
以下、実施の形態を示す図面に基づき、本発明を詳説する。
【０００８】
図１に、本発明の蒸着装置の実施の一形態を示し、本蒸着装置は、真空状態のケーシングＣ内で所定寸法の金属線材を順次蒸発させる蒸発部１と、真空状態の該ケーシングＣ内において該蒸発部１に該金属線材を順次供給する供給部２と、を備えている。
【０００９】
即ち、本蒸着装置は、蒸発部１にて蒸気化された（アルミなどの）金属線材を、ケーシングＣ内に配設されたフード部３の内部にある被蒸着体Ｍに、蒸着させるものである。これによって、装飾膜、カーブミラー、反射膜、（携帯電話の）表示素子のカソード膜などを作製する。なお、フード部３の開口部には、開閉自在な蓋状のシャッター部４が配設され、シャッター部４は、フード部３内に入る蒸着された金属量を調整することができ、被蒸着体Ｍへの金属の蒸着量を正確なものとすることができる。また、金属蒸着のときには、ケーシングＣ内を真空状態（例えば10-4Ｐａ）にする必要がある。
【００１０】
供給部２は、図２と図３に示すように、線材状の素材６が巻設されるセット部20と、複数のローラが配設されるローラ郡21と、素材６を送り出す送出部22と、素材６を切断する切断部23と、切断部23にて素材６が切断されて形成された金属線材５を蒸発部１に供給するノズル部29と、を備えている。
【００１１】
セット部20は、ボビンを有し、ケーシングＣ内に配設され、素材６は、予め、ケーシングＣ内に配置されることとなる。ローラ郡21は、ケーシングＣ内に配設され、セット部20から引っ張りだされた素材６を送出部22まで確実にガイドする。
【００１２】
送出部22は、（減速機付モータ等の）駆動部24と、駆動部24により回転するシャフト部25と、素材６をノズル部29に送り出す送出ローラ26，26と、シャフト部25の回転を送出ローラ26に伝達する（複数の傘歯車などから成る）伝動部27と、を備えている。
【００１３】
駆動部24はケーシングＣの外部に配設され、シャフト部25はケーシングＣを貫通し、送出ローラ26・伝動部27はケーシングＣの内部に配設されている。シャフト部25は、ケーシングＣに軸受を介して取り付けられると共に、ケーシングＣに内装されたシール材（回転軸シール）７と常時接触してケーシングＣ内の真空状態を維持することができる。また、シャフト部25にはエンコーダ28が取り付けられ、素材６の送り出し量（所定寸法）を制御することができる。
【００１４】
切断部23は、シリンダ部30と、シリンダ部30のロッドに連設される連動部31と、連動部31に連設されて素材６を切断する刃部32と、を備えており、シリンダ部30のロッドの伸縮に追従して刃部32が上下動する。
【００１５】
シリンダ部30はケーシングＣの外部に配設され、連動部31はケーシングＣを貫通し、刃部32はケーシングＣの内部に配設されている。連動部31とケーシングＣとに蛇腹（ベローズ）33が架設され、ケーシングＣ内の真空状態を維持することができる。
【００１６】
送出部22と切断部23との作用（機能）を説明すると、図４（イ）に示すように、切断部23に於てシリンダ部30のロッドが伸長して刃部32が上方位置にある状態で、送出部22の送出ローラ26，26にて素材６を所定寸法だけノズル部29に送り込んだ後に、図４（ロ）に示すように、シリンダ部30のロッドが短縮して刃部32が下方に移動し、刃部32にて素材６を切断する。
【００１７】
そして、送出部22と切断部23との上記作用を繰り返すことで、供給部２は、真空状態のケーシングＣ内において線材状の素材６を所定寸法に切断して金属線材５を形成しながら蒸発部１に金属線材５を順次（間欠的に）供給する。
【００１８】
蒸発部１は、図２と図３に示すように、金属線材５が供給される通電自在な蒸発ボード盤12を複数個平面視星型状としてかつ鉛直状一軸心Ｌ廻りに間欠的に回転自在に設けている。言い換えると、蒸発部１は、蒸発ボード盤12を複数個周方向に等間隔に配置すると共に間欠的に軸心Ｌ廻りに回転するロータ10を、有する。
【００１９】
ロータ10は、円柱状の軸部10ａと、（軸部10ａの軸心に中心を一致させるように）軸部10ａに連設された円板部10ｂと、を有し、軸部10ａは、ケーシングＣに貫通状に固着された円筒状のハウジング11に、複数の軸受を介して、内嵌され、円板部10ｂは、ケーシングＣ内に配設される。
【００２０】
さらに、ハウジング11にはシール材（回転軸シール）８が内装され、シール材８がロータ10の軸部10ａと常時接触してケーシングＣ内の真空状態を維持することができる。
【００２１】
円板部10ｂの上方には、ロータ10の軸心Ｌ廻りに星型状（周方向に等間隔）に複数の蒸発ボード盤12…が（固定状に）配設されている。この蒸発ボード盤12は、舟型であり、内部中央部に窪みが形成されると共に肉薄に形成され、金属線材５を確実に蒸発できる。
【００２２】
ロータ10の軸部10ａには外鍔状のギヤ部16が設けられ、そのギヤ部16がケーシングＣに付設された（減速機付モータ等の）駆動部17のギヤ部17ａと噛合して、ロータ10が駆動部17にて回転する。
【００２３】
従って、供給部２のノズル部29から金属線材５が供給される供給位置Ｓに、ロータ10を回転させることで、各蒸発ボード盤12を一致させることができる。
【００２４】
ロータ10には、軸心Ｌに沿って親電極棒13が貫通状に取り付けられると共に、親電極棒13を中心とした周方向に等間隔に（軸部10ａを貫通状に）複数本の子電極棒14…が取り付けられている。なお、親電極棒13及び子電極棒14の内部には空洞部が形成され、（矢印で示すように）冷却水が通水可能となる。
【００２５】
子電極棒14の上端と、蒸発ボード盤12の外周端とは、円板部10ｂの下面から外周面に沿って配設された通電帯板15に接触しており、また、蒸発ボード盤12の内周端は、親電極棒13の上端に接触しており、子電極棒14、通電帯板15、蒸発ボード盤12、親電極棒13の順で通電自在となる。
【００２６】
具体的に述べると、蒸発ボード盤12は、通電帯板15に（ボルト等の）固着具にて固定されると共に、親電極棒13本体に取り外し自在のキャップにて挟持状に取り付けられる。
【００２７】
蒸発ボード盤12の下方側には、通電帯板15及び子電極棒14が配設されており、蒸発ボード盤12と子電極棒14と通電帯板15との数量は一致したものとなる。
【００２８】
ここで、供給位置Ｓのロータ10の軸心Ｌに対する対称位置を蒸発位置Ｈとし、この蒸発位置Ｈにある蒸発ボード盤12が通電されて金属線材５が蒸発される。
【００２９】
具体的に述べると、ケーシングＣに付設された電極ブラシ18が、蒸発位置Ｈにある子電極棒14のみと接触するように配設され、ロータ10の回転にて蒸発位置Ｈに一致された蒸発ボード盤12は、その下方にある子電極棒14が電極ブラシ18と接触することにより、通電されることとなる。
【００３０】
このように、ロータ10が間欠的に回転することで、全ての蒸発ボード盤12…が供給位置Ｓと蒸発位置Ｈとに一致可能となり、供給と蒸発を同時に行うことができる。なお、ロータ10のギヤ部16に取り付けられたエンコーダ19にて、蒸発ボード盤12を供給位置Ｓと蒸発位置Ｈとに停止させることができる。また、蒸発ボード盤12は、蒸発位置Ｈから供給位置Ｓへ移動する間に、冷却水にて冷却される。
【００３１】
なお、隣り合う蒸発ボード盤12，12の間には仕切壁９が設けられ、金属線材５の蒸気をフード部３へ確実にかつ容易に導入することができる。
【００３２】
【発明の効果】
本発明は上述の如く構成されるので、次に記載する効果を奏する。
【００３３】
（請求項１，２によれば、）真空状態のケーシングＣ内において金属線材５の供給と蒸発（蒸着）を行えるため、従来のように１回の蒸着毎に真空引きを行う必要がなく、作業効率を向上させると共に、作業時間を大幅に短縮することができる。また、金属線材５の所定寸法を様々に設定して蒸着量を種々に変化させることができる。さらに、素材６をケーシングＣ内に予め配置させることができ、ケーシングＣの真空状態を安定して長時間維持することができる。
【００３４】
また、真空状態のケーシングＣ内において金属線材５の供給と蒸発（蒸着）とを同時に行うことができ、一層作業時間の短縮を図ることができる。
【図面の簡単な説明】
【図１】本発明の実施の一形態を示す簡略全体説明図である。
【図２】要部正面断面図である。
【図３】要部平面図である。
【図４】要部作用説明図である。
【符号の説明】
１  蒸発部
２  供給部
３  フード部
５  金属線材
６  素材
９  仕切壁
10  ロータ
12  蒸発ボード盤
Ｃ  ケーシング
Ｈ  蒸発位置
Ｌ  軸心
Ｍ  被蒸着体
Ｓ  供給位置
【図１】
0003858076.tif 000002
【図２】
0003858076.tif 000003
【図３】
0003858076.tif 000004
【図４】
0003858076.tif 000005